(57)【特許請求の範囲】
【請求項１】
飲料容器に対して飲料を提供する飲料ディスペンサに適用され、かつ前記飲料容器に乳飲料を供給するための乳飲料供給装置において、
原液供給手段を通じて原液収納部から供給された乳飲料原液と、蒸気供給手段を通じて加圧された状態で供給された加圧蒸気と、空気供給手段を通じて圧縮された状態で供給された圧縮空気とを混合させて乳飲料として前記飲料容器に供給するミキシング部を備え、
前記ミキシング部は、
上下方向に沿って延在する経路と、
前記経路の途中に設けられ、下方から上方に向けて流体が通過することを許容する一方、上方から下方に向けて流体が通過することを規制する逆止弁部と
を備え、
前記経路における前記逆止弁部の上方側において、該逆止弁部を通過した前記加圧蒸気及び前記圧縮空気と、前記原液供給手段を通じて供給された前記乳飲料原液とを混合させたことを特徴とする乳飲料供給装置。
【請求項２】
前記乳飲料を該乳飲料の通路を構成する壁面に当接させることにより該乳飲料の泡立ち量を増大させるフォーミング部を備えたことを特徴とする請求項１に記載の乳飲料供給装置。
【請求項３】
前記フォーミング部は、前記乳飲料の通路の一部を屈曲させることで該乳飲料を該屈曲部位における通路の壁面に当接させることを特徴とする請求項２に記載の乳飲料供給装置。
【請求項４】
前記原液収納部は、乳飲料原液を封入した袋状容器を箱状容器に収容したバッグ・イン・ボックスであることを特徴とする請求項１〜３のいずれか１つに記載の乳飲料供給装置。
【発明の詳細な説明】
【技術分野】
【０００１】
本発明は、乳飲料供給装置に関し、より詳細には、飲料容器に対して飲料を提供する飲料ディスペンサに適用され、かつ飲料容器に乳飲料を供給するための乳飲料供給装置に関するものである。
【背景技術】
【０００２】
従来、例えばカプチーノ等のコーヒー飲料を提供する飲料ディスペンサにおいて、牛乳を泡立たせた状態で供給するものが特許文献１に提案されている。この特許文献１においては、牛乳が予め供給された飲料容器に対し、加圧された状態の蒸気を供給させるとともに圧縮された状態の空気を供給させて撹拌することで、該牛乳を泡立たせるようにしている。
【先行技術文献】
【特許文献】
【０００３】
【特許文献１】特許第５２４２９０７号公報
【発明の概要】
【発明が解決しようとする課題】
【０００４】
ところで、上述した特許文献１では、予め牛乳が供給された飲料容器に加圧蒸気及び圧縮空気を供給させて撹拌するために、飲料容器の周辺に牛乳等が飛散等してしまう虞れがあり、衛生的ではなかった。【０００５】
本発明は、上記実情に鑑みて、衛生性を良好なものとしつつ乳飲料を泡立たせた状態で供給することができる乳飲料供給装置を提供することを目的とする。
【課題を解決するための手段】
【０００６】
上記目的を達成するために、本発明に係る乳飲料供給装置は、飲料容器に対して飲料を提供する飲料ディスペンサに適用され、かつ前記飲料容器に乳飲料を供給するための乳飲料供給装置において、原液供給手段を通じて原液収納部から供給された乳飲料原液と、蒸気供給手段を通じて加圧された状態で供給された加圧蒸気と、空気供給手段を通じて圧縮された状態で供給された圧縮空気とを混合させて乳飲料として前記飲料容器に供給するミキシング部を備えたことを特徴とする。【０００７】
また本発明は、上記乳飲料供給装置において、前記乳飲料を該乳飲料の通路を構成する壁面に当接させることにより該乳飲料の泡立ち量を増大させるフォーミング部を備えたことを特徴とする。【０００８】
また本発明は、上記乳飲料供給装置において、前記フォーミング部は、前記乳飲料の通路の一部を屈曲させることで該乳飲料を該屈曲部位における通路の壁面に当接させることを特徴とする。【０００９】
また本発明は、上記乳飲料供給装置において、前記原液収納部は、乳飲料原液を封入した袋状容器を箱状容器に収容したバッグ・イン・ボックスであることを特徴とする。【００１０】
また本発明は、上記乳飲料供給装置において、前記ミキシング部は、上下方向に沿って延在する経路と、前記経路の途中に設けられ、下方から上方に向けて流体が通過することを許容する一方、上方から下方に向けて流体が通過することを規制する逆止弁部とを備え、前記経路における前記逆止弁部の上方側において、該逆止弁部を通過した前記加圧蒸気及び前記圧縮空気と、前記原液供給手段を通じて供給された前記乳飲料原液とを混合させたことを特徴とする。
【発明の効果】
【００１１】
本発明によれば、ミキシング部が、原液供給手段を通じて原液収納部から供給された乳飲料原液と、蒸気供給手段を通じて加圧された状態で供給された加圧蒸気と、空気供給手段を通じて圧縮された状態で供給された圧縮空気とを混合させて乳飲料として飲料容器に供給するので、従来のように飲料容器に加圧蒸気及び圧縮空気を供給させて乳飲料を撹拌して泡立たせるのに比して、飲料容器の周辺に乳飲料等が飛散等してしまうことを防止でき、衛生的である。よって、衛生性を良好なものとしつつ牛乳を泡立たせた状態で供給することができるという効果を奏する。
【図面の簡単な説明】
【００１２】
【図１】図１は、本発明の実施の形態である乳飲料供給装置が適用された飲料ディスペンサの斜視図である。
【図２】図２は、本発明の実施の形態である乳飲料供給装置の構成を模式的に示す模式図である。
【図３】図３は、図１に示した飲料ディスペンサの後方側から見た斜視図である。
【図４】図４は、原液供給部を構成するプラグを示す斜視図である。
【図５】図５は、プラグ及びソケットの構成を模式的に示す断面図である。
【図６】図６は、原液供給部を構成する逆止弁構成部を示す斜視図である。
【図７】図７は、図６に示した逆止弁構成部の横断面図である。
【図８】図８は、図６及び図７に示した逆止弁構成部を構成する逆止弁本体を示す斜視図である。
【図９】図９は、図８に示した逆止弁本体を左方から見た場合を示す縦断面図である。
【図１０】図１０は、図８に示した逆止弁本体を前方から見た場合を示す縦断面図である。
【図１１】図１１は、ソケットを示す斜視図である。
【図１２】図１２は、プラグをソケットに装着する場合のそれぞれの要部を模式的に示すもので、（ａ）はプラグがソケットから離脱した状態、（ｂ）はプラグがソケットに進入した状態を示している。
【図１３】図１３は、プラグ及びソケットの構成を模式的に示す断面図である。
【図１４】図１４は、図２に示したミキシング部を示す斜視図である。
【図１５】図１５は、図２に示したミキシング部を示す断面図である。
【図１６】図１６は、図２に示したフォーミング部を示す斜視図である。
【図１７】図１７は、図２に示したフォーミング部を示す断面図である。
【図１８】図１８は、図２に示したノズル部を示す斜視図である。
【図１９】図１９は、図２に示したノズル部を示す断面図である。
【図２０】図２０は、図１８及び図１９に示したノズル本体の内部を示す斜視図である。
【図２１】図２１は、図２０に示した飲料案内部を示す斜視図である。
【図２２】図２２は、逆止弁構成部の変形例を示す断面図である。
【図２３】図２３は、本発明の実施の形態である乳飲料供給装置のミキシング部の変形例を示す斜視図である。
【図２４】図２４は、本発明の実施の形態である乳飲料供給装置のミキシング部の変形例を示す断面図である。
【図２５】図２５は、本発明の実施の形態である乳飲料供給装置のフォーミング部の変形例を示す斜視図である。
【図２６】図２６は、本発明の実施の形態である乳飲料供給装置のフォーミング部の変形例を示す断面図である。
【発明を実施するための形態】
【００１３】
以下に添付図面を参照して、本発明に係る乳飲料供給装置の好適な実施の形態について詳細に説明する。
【００１４】
図１は、本発明の実施の形態である乳飲料供給装置が適用された飲料ディスペンサの斜視図であり、図２は、本発明の実施の形態である乳飲料供給装置の構成を模式的に示す模式図である。ここで例示する飲料ディスペンサ１は、飲料容器であるカップＣ（図２参照）に対してコーヒー飲料を提供するものである。
【００１５】
本実施の形態である乳飲料供給装置は、上記飲料ディスペンサ１に適用され、かつ乳飲料である牛乳を泡立たせた状態でカップＣに供給するものである。この乳飲料供給装置は、蒸気供給部（蒸気供給手段）１０、原液供給部（原液供給手段）２０、空気供給部（空気供給手段）４０、ミキシング部５０、フォーミング部６０及びノズル部７０を備えて構成してある。
【００１６】
蒸気供給部１０は、蒸気タンク１１、第１蒸気供給管１２及び第２蒸気供給管１３を備えて構成してある。蒸気タンク１１は、従来公知のものであり、加圧蒸気を生成するものである。
【００１７】
第１蒸気供給管１２は、一端が蒸気タンク１１に接続され、他端がミキシング部５０に接続されており、蒸気タンク１１とミキシング部５０とを接続するものである。この第１蒸気供給管１２の途中には、第１蒸気供給弁１４が配設してある。この第１蒸気供給弁１４は、図示せぬ制御手段から与えられる指令により開閉するものである。第１蒸気供給弁１４は、開成する場合には、第１蒸気供給管１２を加圧蒸気が通過することを許容するものである。また第１蒸気供給弁１４は、閉成する場合には、第１蒸気供給弁１４を加圧蒸気が通過することを規制するものである。
【００１８】
第２蒸気供給管１３は、一端が蒸気タンク１１に接続され、他端が原液供給部２０を構成する逆止弁構成部３０に接続されており、蒸気タンク１１と逆止弁構成部３０とを接続するものである。尚、逆止弁構成部３０についての説明は後述する。
【００１９】
この第２蒸気供給管１３の途中には、第２蒸気供給弁１５が配設してある。この第２蒸気供給弁１５は、制御手段から与えられる指令により開閉するものである。第２蒸気供給弁１５は、開成する場合には、第２蒸気供給管１３を加圧蒸気が通過することを許容するものである。また第２蒸気供給弁１５は、閉成する場合には、第２蒸気供給弁１５を加圧蒸気が通過することを規制するものである。
【００２０】
原液供給部２０は、バッグ・イン・ボックス（以下、ＢＩＢともいう）２１、チューブポンプ２３、プラグ２４及び逆止弁構成部３０を備えて構成してある。
【００２１】
ＢＩＢ２１は、カップＣに供給する乳飲料（泡立たせた状態の牛乳）の原液（以下、牛乳原液ともいう）を封入した袋状容器を箱状容器に収容して構成されるものである。このＢＩＢ２１は、飲料ディスペンサ１の保冷庫２に配置してある。ここで保冷庫２は、飲料ディスペンサ１のディスペンサ本体１ａの内部に設けられた断熱構造の室であり、ディスペンサ本体１ａの内部の後方側に画成してある。この保冷庫２は、図３に示すように、ディスペンサ本体１ａの後面に揺動可能に設けられた断熱構造の後面扉３により開閉されるもので、ＢＩＢ２１は、後面扉３を開移動させて保冷庫２が開放された状態で補充されるものである。
【００２２】
チューブポンプ２３は、保冷庫２の内部において、ＢＩＢ２１の下方側に設けてある。このチューブポンプ２３は、制御手段から与えられる指令により駆動するもので、駆動する場合には、ＢＩＢ２１に接続されたチューブ２２を複数のローラ等で押し潰すようにして、ＢＩＢ２１の牛乳原液を汲み出すものである。
【００２３】
プラグ２４は、ＢＩＢ２１に接続されたチューブ２２の先端部に取り付けられるものである。図４は、原液供給部２０を構成するプラグ２４を示す斜視図である。この図４に示すように、プラグ２４は、プラグ本体２４ａとプラグ蓋体２４ｂとを備えて構成してある。
【００２４】
プラグ本体２４ａは、上部及び前方部が開放し、かつ後方部にＵ字状の後面溝２４１が形成された略直方状の形態を成すものである。このプラグ本体２４ａの左右両側部には、左右一対となる態様で上方に向けて突出する係止片２４２が形成してある。これら左右一対の係止片２４２にはそれぞれ係止溝２４３が形成してある。またプラグ本体２４ａの左右両側部の前方側上部には、左右一対の軸支孔２４４が形成してある。更にプラグ本体２４ａの底部には、図５に示すように、左右方向が長手方向となる態様で上方に向けて突出する長尺状の本体側ピンチ部２４５が設けてある。
【００２５】
プラグ蓋体２４ｂは、略平板状の部材であり、貫通孔２４６（図５参照）、係合突部２４７、係止突部２４８及び蓋側ピンチ部２４９が形成してある。貫通孔２４６は、プラグ蓋体２４ｂの前方側において左右方向に貫通する態様で形成してある。この貫通孔２４６には、長尺ロッド状のプラグピン２５が貫通しており、このプラグピン２５の左右両端部がプラグ本体２４ａの軸支孔２４４を挿通している。つまり、プラグ蓋体２４ｂは、プラグピン２５の中心軸回りに揺動可能となるようプラグ本体２４ａに支持されている。
【００２６】
係合突部２４７は、プラグ蓋体２４ｂの上面より上方に向けて突出する態様で形成してある。係止突部２４８は、プラグ蓋体２４ｂの左右両端部より外方（左方、右方）に向けて突出する態様で形成してある。
【００２７】
蓋側ピンチ部２４９は、プラグ蓋体２４ｂの下面において、左右方向が長手方向となる態様で下方に向けて突出して形成された長尺状のものである。この蓋側ピンチ部２４９は、プラグ蓋体２４ｂがプラグ本体２４ａに近接するよう揺動する場合に、本体側ピンチ部２４５に対して対向する個所に形成してある。
【００２８】
このようなプラグ２４は、次のようにしてチューブ２２の先端部に取り付けてある。まず、プラグ蓋体２４ｂをプラグ本体２４ａから離隔するよう揺動させ、プラグ本体２４ａとプラグ蓋体２４ｂとの間において、チューブ２２の先端面がプラグ本体２４ａの前方部よりも前方に突出するようにするとともに、一部が後面溝２４１を通過するようにチューブ２２を配置する。
【００２９】
次に、プラグ蓋体２４ｂをプラグ本体２４ａに近接するよう揺動させて、プラグ蓋体２４ｂの係止突部２４８がプラグ本体２４ａの係止片２４２の係止溝２４３に進入して該係止片２４２と係止することでプラグ２４をチューブ２２の先端部に取り付けることができる。
【００３０】
この場合において、プラグ蓋体２４ｂの蓋側ピンチ部２４９は、プラグ本体２４ａの本体側ピンチ部２４５と対向しており、かつ該本体側ピンチ部２４５とともにチューブ２２の所定部位を挟み込んで該チューブ２２を閉塞させている。つまり、プラグ２４は閉塞姿勢となる。
【００３１】
図６は、原液供給部２０を構成する逆止弁構成部３０を示す斜視図であり、図７は、図６に示した逆止弁構成部３０の横断面図である。ここで例示する逆止弁構成部３０は、原液供給管２６を介してミキシング部５０に接続されるものであり、図６及び図７に示すように、逆止弁本体３０ａを備えている。
【００３２】
図８〜図１０は、それぞれ図６及び図７に示した逆止弁構成部３０を構成する逆止弁本体３０ａを示すもので、図８は、斜視図であり、図９は、図８に示した逆止弁本体３０ａを左方から見た場合を示す縦断面図であり、図１０は、図８に示した逆止弁本体３０ａを前方から見た場合を示す縦断面図である。
【００３３】
これら図８〜図１０にも示すように、逆止弁本体３０ａは、ソケット収容部３１、蒸気流入部３２、原液流出部３３及び弁体収容部３４を備えて構成してある。ソケット収容部３１は、逆止弁本体３０ａの後方部分に構成されており、後面開口３１ａを通じてソケット２７（図６及び図７参照）の進入を許容し、該ソケット２７を収容する部位である。
【００３４】
ソケット２７は、図１１にも示すように、後面が開放した箱状のソケット本体２７ａを有している。このソケット２７は、係止爪片２７１、規制孔２７２、原液案内部２７３及び案内溝部２７４，２７５がソケット本体２７ａに形成されて構成してある。
【００３５】
係止爪片２７１は、それぞれソケット本体２７ａの左右両側部に設けてあり、前後方向が長手方向となるものである。これら係止爪片２７１の前方側には、係止爪２７１ａが形成してある。規制孔２７２は、ソケット本体２７ａの上方部に形成された矩形状の孔である。
【００３６】
原液案内部２７３は、ソケット本体２７ａの前方部において前方及び後方に突出する態様で形成してあり、前後方向が長手方向となる長尺状の筒状体である。この原液案内部２７３の外径は、上記チューブ２２の内径よりも僅かに大きいものである。この原液案内部２７３には、前後方向に沿って延在する原液通路２７３ａが形成してある。
【００３７】
案内溝部２７４，２７５は、ソケット本体２７ａの下方部の後方側にて左右一対となる態様で形成してある。左方側の案内溝部２７４においては、右端部がソケット本体２７ａの左方側部と対向しており、前方に向かって延在する第１右側前延部２７４ａと、この第１右側前延部２７４ａの前端部に連続し、かつ前方に向かうに連れて漸次左方に傾斜する右側傾斜部２７４ｂと、この右側傾斜部２７４ｂの前端部に連続し、かつ前方に向かって延在する第２右側前延部２７４ｃとが連続して構成してある。
【００３８】
右方側の案内溝部２７５においては、左端部がソケット本体２７ａの右方側部と対向しており、前方に向かって延在する第１左側前延部２７５ａと、この第１左側前延部２７５ａの前端部に連続し、かつ前方に向かうに連れて漸次右方に傾斜する左側傾斜部２７５ｂと、この左側傾斜部２７５ｂの前端部に連続し、かつ前方に向かって延在する第２左側前延部２７５ｃとが連続して構成してある。
【００３９】
このようなソケット２７は、図６及び図７に示したように、ソケット本体２７ａの前方部が逆止弁本体３０ａの後面開口３１ａを通じてソケット収容部３１に進入し、かつソケット本体２７ａの係止爪片２７１の係止爪２７１ａが逆止弁本体３０ａの左右両側部に設けられた係止突起３１１と係止することで、ソケット収容部３１に収容されている。ここでソケット２７の原液案内部２７３の前端部分は、逆止弁本体３０ａにおける円筒部３１２の中空部３１２ａに進入している。そして、かかる円筒部３１２の前端部には原液流入口３１３が形成されており、原液案内部２７３の原液通路２７３ａは原液流入口３１３を臨んでいる。
【００４０】
このようにしてソケット２７がソケット収容部３１に収容されることで逆止弁構成部３０を構成しており、しかも逆止弁構成部３０は上述したように原液供給管２６に接続してあることから、該ソケット２７は、牛乳原液を供給するための配管に取り付けられている。
【００４１】
蒸気流入部３２は、上記第２蒸気供給管１３と接続する部位であり、蒸気流入通路３２１を有している。この蒸気流入通路３２１は、逆止弁本体３０ａに設けられた蒸気流入口３２２を通じて第２蒸気供給管１３に連通している。
【００４２】
原液流出部３３は、上記原液供給管２６と接続する部位であり、原液流出通路３３１を有している。この原液流出通路３３１は、逆止弁本体３０ａに設けられた原液流出口３３２を通じて原液供給管２６に連通している。
【００４３】
弁体収容部３４は、逆止弁本体３０ａの中央領域に画成された室であり、上記蒸気流入通路３２１及び上記原液流出通路３３１に連通するとともに、ソケット収容部３１に収容されたソケット２７の原液案内部２７３の原液通路２７３ａに原液流入口３１３を介して連通している。この弁体収容部３４にボールガイド３５が設けてある。
【００４４】
ボールガイド３５は、円筒状の形態を成すものであり、第１開口３５１及び第２開口３５２を有している。第１開口３５１は、後方側に形成してあり、上記原液流入口３１３に連通している。第２開口３５２は、前方側に形成してあり、上記原液流出通路３３１を臨むことで上記原液流出口３３２に連通している。
【００４５】
上記ボールガイド３５の内部にはボール弁３６が設けてある。ボール弁３６は、例えばバネ等の付勢手段３７により常時後方に向けて付勢されるものであり、常態においては、ボールガイド３５の第１開口３５１を閉塞することで原液流入口３１３を閉塞するものである。
【００４６】
また、ボールガイド３５には複数の噴出孔３５３が形成してある。これら噴出孔３５３は、ボールガイド３５の周面においてその周方向に沿って所定間隔毎に形成されるもので、それぞれが上記蒸気流入通路３２１を通じて蒸気流入口３２２に連通している。またこれら噴出孔３５３は、常態のボール弁３６、すなわち第１開口３５１を閉塞して原液流入口３１３を閉塞する状態のボール弁３６に対して、該ボール弁３６の正中面（ボール弁３６を前後対象に均等に分割する平面）３８よりも第２開口３５２側（前方側）の表面を臨む個所に形成してある。
【００４７】
このような原液供給部２０においては、プラグ２４とソケット２７とが次のようにして連結している。図５に示したようにプラグ２４をソケット２７の後方側より近接させることにより、プラグ２４をソケット本体２７ａの後面より進入させる。プラグ２４がソケット本体２７ａの内部に進入すると、図１２に示すように、左右一対の係止片２４２がそれぞれ対応する案内溝部２７４，２７５に進入する。このように係止片２４２が対応する案内溝部２７４，２７５に進入する結果、左方側の係止片２４２は左方側の案内溝部２７４の右側傾斜部２７４ｂに摺接した後に第２右側前延部２７４ｃに摺接することで左方に変位する一方、右方側の係止片２４２は右方側の案内溝部２７５の左側傾斜部２７５ｂに摺接した後に第２左側前延部２７５ｃに摺接することで右方に変位することになる。このように左方側の係止片２４２が左方に変位し、右方側の係止片２４２が右方に変位すると、各係止片２４２の係止溝２４３に進入していた係止突部２４８が該係止溝２４３から相対的に離脱することでプラグ蓋体２４ｂはフリーな状態となる。
【００４８】
プラグ蓋体２４ｂがフリーな状態となると、チューブ２２の弾性復元力により、プラグ蓋体２４ｂがプラグ本体２４ａからから離隔するよう揺動する。そして、図１３に示すように、該プラグ蓋体２４ｂの係合突部２４７が規制孔２７２に進入することでプラグ２４はソケット２７と係合状態となって該ソケット２７に連結される。このときソケット２７の原液案内部２７３は、一部がチューブ２２の内部に進入し、原液案内部２７３の原液通路２７３ａとチューブ２２の内部とが連通状態となる。また、プラグ蓋体２４ｂが揺動することで蓋側ピンチ部２４９が本体側ピンチ部２４５から離隔してこれらに閉塞されていたチューブ２２の所定部位は開放される。つまり、プラグ２４は、ソケット２７と係合状態となることで開放姿勢となる。
【００４９】
ところで、プラグ２４をソケット２７から離脱させるには次のようにすればよい。プラグ蓋体２４ｂをプラグ本体２４ａに近接するよう揺動させて係合突部２４７を規制孔２７２から離脱させる。そして、プラグ蓋体２４ｂをプラグ本体２４ａに近接するよう揺動させた状態のままプラグ２４を後方に向けて移動させる。
【００５０】
このようにプラグ２４を後方に移動させると、左右一対の係止片２４２がそれぞれ対応する案内溝部２７４，２７５を相対的に後方に向かって移動する。つまり、左方側の係止片２４２は左方側の案内溝部２７４の右側傾斜部２７４ｂに摺接した後に第１右側前延部２７４ａに摺接することで右方に変位する一方、右方側の係止片２４２は右方側の案内溝部２７５の左側傾斜部２７５ｂに摺接した後に第１左側前延部２７５ａに摺接することで左方に変位することになる。このように左方側の係止片２４２が右方に変位し、右方側の係止片２４２が左方に変位すると、各係止片２４２の係止溝２４３に係止突部２４８が進入して該係止片２４２と係止し、プラグ２４は上述した閉塞姿勢となる。
【００５１】
このようにプラグ２４とソケット２７とは互いに着脱可能な関係にあり、プラグ２４は、ソケット２７から離脱している場合には閉塞姿勢となる一方、ソケット２７と連結される場合に開放姿勢となるものである。ソケット２７は、プラグ２４と連結される場合には、プラグ２４を強制的に開放姿勢にさせるものである。また、ソケット２７は、自身に連結されるプラグ２４が閉塞姿勢となる場合に、該プラグ２４が離脱することを許容するものである。
【００５２】
空気供給部４０は、空気供給管４１を備えて構成してある。空気供給管４１は、一端がエアポンプ４２に接続され、他端がミキシング部５０に接続されており、エアポンプ４２とミキシング部５０とを接続するものである。エアポンプ４２は、制御手段から与えられる指令に応じて駆動するものであり、駆動する場合に、空気を圧縮して空気供給管４１を通じて圧縮空気を送出するものである。
【００５３】
図１４及び図１５は、それぞれ図２に示したミキシング部５０を示すものであり、図１４は、斜視図であり、図１５は、断面図である。ここで例示するミキシング部５０は、第１蒸気供給管１２、原液供給管２６及び空気供給管４１に接続しているとともに、飲料送出管８０にも接続している。ここで飲料送出管８０は、一端がミキシング部５０に接続され、かつ他端がフォーミング部６０に接続されており、ミキシング部５０とフォーミング部６０とを接続するものである。このようなミキシング部５０は、蒸気導入部５１、飲料ミキシング部５２、原液導入部５３及び空気導入部５４を有している。
【００５４】
蒸気導入部５１は、上記第１蒸気供給管１２と接続する部位であり、蒸気導入通路５１１を有している。この蒸気導入通路５１１は、蒸気導入口５１２を通じて第１蒸気供給管１２に連通している。
【００５５】
飲料ミキシング部５２は、上記飲料送出管８０と接続する部位であり、ミキシング通路５２１を有している。このミキシング通路５２１は、オリフィス部５５を通じて蒸気導入通路５１１に連通しているとともに、飲料送出口５２２を通じて飲料送出管８０に連通している。
【００５６】
原液導入部５３は、上記原液供給管２６と接続する部位であり、原液導入通路５３１を有している。この原液導入通路５３１は、一端が原液導入口５３２を通じて原液供給管２６に連通している。また、原液導入通路５３１は、他端がミキシング通路５２１に連通している。
【００５７】
空気導入部５４は、上記空気供給管４１と接続する部位であり、空気導入通路５４１を有している。この空気導入通路５４１は、一端が空気導入口５４２を通じて空気供給管４１に連通している。また、空気導入通路５４１は、他端がミキシング通路５２１に連通している。ここで空気導入通路５４１がミキシング通路５２１を連通する個所は、原液導入通路５３１がミキシング通路５２１と連通する個所よりも下流側に位置している。
【００５８】
図１６及び図１７は、それぞれ図２に示したフォーミング部６０を示すものであり、図１６は、斜視図であり、図１７は、断面図である。ここで例示するフォーミング部６０は、飲料送出管８０に接続しているとともに、ノズル部７０に連結している。このようなフォーミング部６０は、飲料導入部６１と飲料導出部６２とを有している。
【００５９】
飲料導入部６１は、上記飲料送出管８０と接続する部位であり、飲料導入通路６１１を有している。この飲料導入通路６１１は、飲料導入口６１２を通じて飲料送出管８０に連通している。この飲料導入通路６１１は、その途中で屈曲されて構成してある。ここで屈曲部位６１１ａの上流側の飲料導入通路６１１と下流側の飲料導入通路６１１との成す角度αは鋭角であることが好ましい。
【００６０】
飲料導出部６２は、ノズル部７０と接続する部位であり、飲料導出通路６２１を有している。この飲料導出通路６２１は、飲料導出口６２２を通じてノズル部７０に連通している。また、飲料導出通路６２１は、飲料導入通路６１１と連通している。
【００６１】
図１８及び図１９は、それぞれ図２に示したノズル部７０を示すものであり、図１８は、斜視図であり、図１９は、断面図である。ここで例示するノズル部７０は、図１に示すようにディスペンサ本体１ａの前面に設けられたノズル収容部４に収容されるもので、ノズル本体７０ａとノズル蓋体７０ｂとを有している。
【００６２】
ノズル本体７０ａは、図２０にも示すように、天部が開放された容器であり、底部は基端から先端に向かうに連れて漸次下方に傾斜している。このノズル本体７０ａには、ノズル室７１１、吐出通路７１２及び放出通路７１３が形成されている。ノズル室７１１は、ノズル本体７０ａの大部分を占めるものである。
【００６３】
吐出通路７１２は、ノズル本体７０ａにおける先端部に形成されており、下方に向けて延在するものである。この吐出通路７１２は、吐出連絡口７１４を通じてノズル室７１１に連通しており、またノズル本体７０ａに形成された吐出口７１５を通じて外部に連通している。ここで吐出連絡口７１４は、ノズル室７１１の下部に設けてある。
【００６４】
放出通路７１３は、ノズル本体７０ａにおける先端部に形成されており、吐出通路７１２に隣接する態様で下方に向けて延在するものである。この放出通路７１３は、放出連絡口７１６を通じてノズル室７１１に連通しており、またノズル本体７０ａに形成された放出口７１７を通じて外部に連通している。ここで放出連絡口７１６は、ノズル室７１１の上部に設けてある。
【００６５】
かかるノズル本体７０ａにおいては、ノズル室７１１に飲料案内部７２が設けてある。飲料案内部７２は、ノズル室７１１の下部、すなわちノズル本体７０ａの底部に設けてあり、複数の通路構成要素である平板状部材７２１が並設されており、それぞれの平板状部材７２１の上端部が共通の支持板７２２に連結されて構成してある。図２１に示すように、この飲料案内部７２における各平板状部材７２１は、吐出連絡口７１４（吐出口７１５）に近接するにしたがって互いに隣接する他の平板状部材７２１の間隔が小さくなるように設けてある。そして、互いに隣接する平板状部材７２１間に飲料を通過させてから吐出通路７１２を通過させるものである。
【００６６】
ノズル蓋体７０ｂは、ノズル本体７０ａの天部を閉塞する態様で該ノズル本体７０ａに取り付けてある。このノズル蓋体７０ｂには、連結管部７３及び蒸気放出部７４を有している。連結管部７３は、ノズル蓋体７０ｂより上方に向けて突出する円筒状部位である。この連結管部７３には、ノズル本体７０ａの内部に連通する中空部７３１が形成してあり、フォーミング部６０の飲料導出部６２の一部の進入を許容して該フォーミング部６０と連結するものである。
【００６７】
蒸気放出部７４は、連結管部７３と同様に、ノズル蓋体７０ｂより上方に向けて突出する円筒状部位である。この蒸気放出部７４には、ノズル本体７０ａの内部に連通する中空部７４１が形成してあり、ノズル本体７０ａの内部に送られてきた蒸気の一部を放出するためのものである。
【００６８】
以上のような構成を有する乳飲料供給装置においては、次のようにして牛乳を泡立たせた状態にてカップＣに供給することができる。制御手段により第１蒸気供給弁１４が開成されるとともに、チューブポンプ２３及びエアポンプ４２が駆動されるものとする。尚、第２蒸気供給弁１５は閉成されている。
【００６９】
このようにチューブポンプ２３が駆動されることで、原液供給部２０では、ＢＩＢ２１の牛乳原液が汲み出される。ＢＩＢ２１から汲み出された牛乳原液は、チューブ２２を通過した後にソケット２７の原液案内部２７３の原液通路２７３ａを通過して原液流入口３１３に至る。原液流入口３１３はボール弁３６により閉塞されているが、ＢＩＢ２１から汲み出される牛乳原液の圧力によりボール弁３６が付勢手段３７の付勢力に抗して前方に向けて退避移動する。これにより原液流入口３１３及び第１開口３５１は開放され、牛乳原液は、原液流入口３１３及び第１開口３５１を通じて原液流出通路３３１に至り、この原液流出通路３３１を通過して原液供給管２６を通過する。この原液供給管２６を通過する牛乳原液は、ミキシング部５０の原液導入通路５３１に至る。
【００７０】
ところで、第１蒸気供給弁１４が開成されていることで蒸気タンク１１で生成された加圧蒸気は、第１蒸気供給管１２を通過してミキシング部５０の蒸気導入通路５１１に至る。また、エアポンプ４２が駆動されることで、圧縮空気が空気供給管４１を通過してミキシング部５０の空気導入通路５４１に至る。
【００７１】
ミキシング部５０においては、蒸気導入通路５１１を通過した加圧蒸気がオリフィス部５５を通過することで減圧されて流速が増大した状態でミキシング通路５２１を通過することにより、原液導入通路５３１の牛乳原液がベンチュリー効果でミキシング通路５２１に至り、加圧蒸気により加熱される。
【００７２】
またこのミキシング部５０においては、空気導入通路５４１の圧縮空気がミキシング通路５２１に進入することで加圧蒸気に加熱された牛乳原液と混合されて牛乳飲料が生成される。ここで生成された牛乳飲料は圧縮空気により僅かに泡立たせされた状態となる。このようにしてミキシング部５０にて生成された牛乳飲料は、飲料送出管８０を通過してフォーミング部６０の飲料導入通路６１１に至る。
【００７３】
フォーミング部６０においては、飲料導入通路６１１を通過する牛乳飲料が該飲料導入通路６１１の屈曲部位６１１ａにて流路変更され、該屈曲部位６１１ａにおける通路壁面に当接することで牛乳飲料の泡立ち量が増大されて泡立たされることになる。そして、このように泡立たされた牛乳飲料は、飲料導出通路６２１を通過してノズル部７０に送出される。
【００７４】
ノズル部７０に送出された泡立たされた牛乳飲料は、ノズル室７１１に一時的に貯留され、飲料案内部７２の平板状部材７２１間を通過する。ここで平板状部材７２１は、吐出口７１５に近接するにしたがって互いの間隔が小さくなるように並設されていることから、泡立ちの大きいものは平板状部材７２１間を通過できずに滞留し、泡立ちの細かいものだけが平板状部材７２１間を通過する。
【００７５】
そして、ノズル蓋体７０ｂに設けられた蒸気放出部７４や、放出通路７１３から蒸気等の一部が放出されるので、ノズル室７１１に一時的に貯留された牛乳飲料は、平板状部材７２１間を通過した後に吐出通路７１２を通過して吐出口７１５よりカップＣに吐出され、このようにして牛乳飲料が供給されることとなる。
【００７６】
このようにして所定量の牛乳飲料を供給した後、乳飲料供給装置では、制御手段により第２蒸気供給弁１５が開成され、チューブポンプ２３が駆動停止にされる。尚、エアポンプ４２の駆動は維持されるとともに、第１蒸気供給弁１４も開成している。
【００７７】
第２蒸気供給弁１５が開成されることで、蒸気タンク１１で生成された加圧蒸気は、第２蒸気供給管１３を通過して逆止弁構成部３０の蒸気流入通路３２１に至る。ここで逆止弁構成部３０においては、チューブポンプ２３の駆動停止によりＢＩＢ２１から牛乳原液が汲み出されることがないので、ボール弁３６により原液流入口３１３が閉塞されている。
【００７８】
逆止弁構成部３０において、蒸気流入通路３２１の加圧蒸気は、弁体収容部３４に至り、ボールガイド３５の周囲を通過しつつ噴出孔３５３よりボール弁３６の表面に噴出される。ボール弁３６の表面に噴出された加圧蒸気は、ボール弁３６の表面に付着していた牛乳原液とともに原液流出通路３３１を介して原液供給管２６を通過し、ミキシング部５０の原液導入通路５３１に至る。
【００７９】
そして、原液導入通路５３１の加圧蒸気（牛乳原液とともに逆止弁構成部３０から供給された加圧蒸気）は、第１蒸気供給管１２を介してミキシング部５０に供給される加圧蒸気や空気供給管４１を介してミキシング部５０に供給される圧縮空気と混合して通路上に付着する牛乳とともにフォーミング部６０を通過する。
【００８０】
このようにしてフォーミング部６０を通過した加圧蒸気等は、ノズル部７０のノズル室７１１にて滞留する泡と一緒に牛乳を流し、吐出口７１５よりカップＣに供給される。
【００８１】
これにより逆止弁構成部３０からノズル部７０の吐出口７１５に至る各部位に残った牛乳もカップＣに供給することができ、これら経路上の清掃を行うことができる。
【００８２】
その後に制御手段により第１蒸気供給弁１４及び第２蒸気供給弁１５が閉成されるとともに、エアポンプ４２が駆動停止にされることで、牛乳の供給が終了する。
【００８３】
以上説明したように本発明の実施の形態である乳飲料供給装置によれば、ミキシング部５０において、牛乳原液と加圧蒸気と圧縮空気とを混合させて泡立たせた牛乳飲料としてカップＣに供給することができるので、従来のように飲料容器に加圧蒸気及び圧縮空気を供給させて牛乳を撹拌して泡立たせるのに比して、カップＣの周辺に牛乳等が飛散等してしまうことを防止でき、衛生的である。よって、衛生性を良好なものとしつつ牛乳を泡立たせた状態で供給することができる。
【００８４】
上記乳飲料供給装置によれば、ミキシング部５０にて混合された牛乳飲料を、フォーミング部６０にて飲料導入通路６１１の屈曲部位６１１ａの通路壁面に当接させるようにして該牛乳飲料の泡立ち量を増大させているので、より泡立たせた牛乳飲料をカップＣに供給することができる。
【００８５】
上記乳飲料供給装置によれば、ノズル部７０の飲料案内部７２では、平板状部材７２１が吐出口７１５に近接するにしたがって互いの間隔が小さくなるよう並設されており、これら平板状部材７２１間に牛乳飲料を通過させるので、大きい泡を破裂させたり滞留させたりして、吐出口７１５より吐出されてカップＣに供給される牛乳飲料の泡立ちの大きさを小径で均一なものとすることができる。そして、従来のように牛乳飲料に多孔板の小孔を通過させないので、カップＣに対する牛乳飲料の供給時間の長大化を抑制できる。従って、牛乳飲料の供給時間の長大化を抑制しつつ、泡立たせた状態の牛乳飲料を良好に供給することができる。
【００８６】
上記乳飲料供給装置によれば、ノズル部７０に送出された牛乳飲料をノズル室７１１で一時的に貯留して吐出口７１５より吐出させるので、原液供給部２０にて用いられるチューブポンプ２３の特性により、吐出口７１５から吐出される牛乳飲料が脈動することを防止することができる。
【００８７】
上記乳飲料供給装置によれば、ノズル室７１１に飲料案内部７２が設けられたことにより、ノズル室７１１の内部の表面積を大きくすることができ、ノズル部７０に送られてきた加圧蒸気を早期に結露させて、ノズル室７１１に残留する牛乳飲料とともに吐出口７１５より吐出させることができ、該牛乳飲料を良好に洗い流すことができる。
【００８８】
上記乳飲料供給装置によれば、ＢＩＢ２１のチューブ２２の先端部に取り付けられるプラグ２４は、ソケット２７から離脱している場合には、該チューブ２２の所定部位を挟んで閉塞する閉塞姿勢となる一方、該ソケット２７と連結される場合には、チューブ２２の所定部位を開放する開放姿勢となって該チューブ２２を介してＢＩＢ２１と原液供給管２６とを連通させるので、該チューブ２２の先端部に手が触れて雑菌等が付着することを抑制でき、しかもチューブ２２を配管等に容易に接続することができる。従って、ＢＩＢ２１に接続されたチューブ２２を、乳飲料を供給するための配管に容易に接続させるとともに、衛生性を良好に保持することができる。
【００８９】
上記乳飲料供給装置によれば、逆止弁構成部３０のボールガイド３５には、第１開口３５１を閉塞して原液流入口３１３を閉塞する状態のボール弁３６に対して、該ボール弁３６の正中面３８よりも第２開口３５２側の表面を臨む個所に噴出孔３５３が形成してあるので、ボール弁３６が原液流入口３１３を閉塞した状態を維持させつつ、該ボール弁３６やその周辺に付着した牛乳原液を洗い流すことができる。従って、逆止弁構成部３０の衛生性を良好に保持することができる。
【００９０】
また、本発明の実施の形態である乳飲料供給装置及びこの乳飲料供給装置が適用された飲料ディスペンサ１では、上記作用効果の他、以下のような作用効果を奏することもできる。
【００９１】
上記乳飲料供給装置によれば、エアポンプ４２で圧縮された空気をミキシング部５０に供給して牛乳原液や加圧蒸気と混合させているので、エアポンプ４２の回転数等を変更して空気供給部４０からのミキシング部５０に対する圧縮空気の供給量を適宜変更することにより、該ミキシング部５０での牛乳飲料の泡立ち量を調整することができる。
【００９２】
上記乳飲料供給装置によれば、蒸気供給部１０からミキシング部５０に対する加圧蒸気の供給を停止させるとともに、空気供給部４０からミキシング部５０に対する圧縮空気の供給を停止させることで、カップＣに対してＢＩＢ２１に収納された牛乳原液を供給することもできる。
【００９３】
上記乳飲料供給装置が適用される飲料ディスペンサ１によれば、保冷庫２が後面扉３により開閉されるものであるので、かかる飲料ディスペンサ１を店舗に設置した場合、店舗の従業員は飲料ディスペンサ１の正面に行かなくても後面扉３を開移動させることで容易にＢＩＢ２１の交換等を行うことができる。つまり、かかる飲料ディスペンサ１を店舗のカウンタ上に設置することができ、従業員によるＢＩＢ２１の交換作業も行いやすくなる。
【００９４】
以上、本発明の好適な実施の形態について説明したが、本発明はこれに限定されるものではなく、種々の変更を行うことができる。
【００９５】
上述した実施の形態では、牛乳を乳飲料の一例として用いていたが、本発明においては、豆乳等の乳飲料を用いても構わない。
【００９６】
上述した実施の形態では、フォーミング部６０において飲料導入通路６１１の一部を屈曲させていたが、本発明においては、圧縮空気を含む加熱された乳飲料を通路壁面に当接させて泡立ち量を増大させるのであれば、その構成は特に限定されるものではない。
【００９７】
上述した形態では特に用いられていないが、本発明においては、逆止弁構成部３０′は、図２２に示すような洗浄用ソケット２７′を逆止弁本体３０ａに収容させても良い。この図２２に示す洗浄用ソケット２７′は、上述したソケット２７に対して、逆止弁本体３０ａの円筒部３１２を外部から覆って収納する円筒収納部２７３′を原液案内部２７３の代わりに設けたことが異なる。このような洗浄用ソケット２７′を用いることで、上記ソケット２７を装着した状態では洗浄しづらい部分も良好に洗浄することができる。
【００９８】
本発明においては、以下に説明するような構成のミキシング部及びフォーミング部を用いてもよい。図２３及び図２４は、それぞれ本発明の実施の形態である乳飲料供給装置のミキシング部の変形例を示すものであり、図２３は、斜視図であり、図２４は、断面図である。図２５及び図２６は、それぞれ本発明の実施の形態である乳飲料供給装置のフォーミング部の変形例を示すものであり、図２５は、斜視図であり、図２６は、断面図である。
【００９９】
ミキシング部９０は、第１蒸気供給管１２、原液供給管２６及び空気供給管４１に接続しているとともに、飲料送出管８０にも接続している。このようなミキシング部９０は、蒸気導入部９１、混合部９２、飲料ミキシング部９３、空気導入部９４及び原液導入部９５を有している。
【０１００】
蒸気導入部９１は、上記第１蒸気供給管１２と接続する部位であり、ミキシング部９０の最も下方部分に設けてある。この蒸気導入部９１は、蒸気導入通路９１１を有している。蒸気導入通路９１１は、蒸気導入口９１２を通じて第１蒸気供給管１２に連通している。
【０１０１】
混合部９２は、蒸気導入部９１よりも上方側に設けてあり、混合通路９２１を有している。この混合通路９２１は、オリフィス部９６を通じて蒸気導入通路９１１に連通している。
【０１０２】
飲料ミキシング部９３は、上記飲料送出管８０と接続する部位であり、混合部９２よりも上方側に設けてある。この飲料ミキシング部９３は、ミキシング通路９３１を有している。ミキシング通路９３１は、逆止弁部９７を介して混合通路９２１に連通しているとともに、飲料送出口９３２を通じて飲料送出管８０に連通している。ここで逆止弁部９７は、下方から上方に向けての流れ、すなわち混合通路９２１からミキシング通路９３１に向けての流れが順方向となるように構成されており、混合通路９２１からミキシング通路９３１への流体の移動を許容する一方、ミキシング通路９３１から混合通路９２１への流体の移動を規制するものである。
【０１０３】
空気導入部９４は、上記空気供給管４１と接続する部位であり、空気導入通路９４１を有している。この空気導入通路９４１は、一端が空気導入口９４２を通じて空気供給管４１に連通している。また、空気導入通路９４１は、他端が混合通路９２１に連通している。
【０１０４】
原液導入部９５は、上記原液供給管２６と接続する部位であり、原液導入通路９５１を有している。この原液導入通路９５１は、一端が原液導入口９５２を通じて原液供給管２６に連通している。また、原液導入通路９５１は、他端がミキシング通路９３１に連通している。つまり、原液導入部９５は、逆止弁部９７よりも上方側に設けてある。
【０１０５】
上記構成のミキシング部９０においては、蒸気導入通路９１１、混合通路９２１及びミキシング通路９３１により上下方向に沿って延在する経路が構成されており、その経路の途中に逆止弁部９７が設けられている。
【０１０６】
そして、蒸気導入通路９１１を通過した加圧蒸気がオリフィス部９６を通過することで減圧されて流速が増大した状態で混合通路９２１を通過し、かかる混合通路９２１を通過中に空気導入通路９４１から進入した圧縮空気と混合する。そして、加圧蒸気は、圧縮空気とともに逆止弁部９７を通過してミキシング通路９３１を通過する。このようにしてミキシング通路９３１を通過する加圧蒸気及び圧縮空気は、原液導入通路９５１から進入した牛乳原液と混合する。これにより、ミキシング通路９３１において、僅かに泡立たされて加熱された牛乳飲料が生成される。このようにしてミキシング部９０にて生成された牛乳飲料は、飲料送出管８０に送出される。
【０１０７】
つまり、ミキシング部９０においては、上記経路における逆止弁部９７の上方側において、該逆止弁部９７を通過した加圧蒸気及び圧縮空気と、原液供給部２０を通じて供給された牛乳原液とを混合させている。
【０１０８】
かかるミキシング部９０によれば、原液供給部２０を通じて牛乳原料に代わって洗浄液が供給された場合に、原液導入通路９５１に流入した洗浄液を逆止弁部９７に満たすことが可能になり、これにより、逆止弁部９７を良好に洗浄することができる。
【０１０９】
フォーミング部６０′は、飲料送出管８０に接続しているとともに、ノズル部７０に連結している。このようなフォーミング部６０′は、飲料導入部６１′と飲料導出部６２′とを有している。
【０１１０】
飲料導入部６１′は、上記飲料送出管８０と接続する部位であり、飲料導入通路６１１′を有している。この飲料導入通路６１１′は、飲料導入口６１２′を通じて飲料送出管８０に連通している。この飲料導入通路６１１′は、その途中で屈曲されて構成してある。ここで屈曲部位６１１ａ′の上流側の飲料導入通路６１１′と下流側の飲料導入通路６１１′との成す角度αは鋭角であることが好ましい。
【０１１１】
飲料導出部６２′は、ノズル部７０と接続する部位であり、飲料導出通路６２１′を有している。この飲料導出通路６２１′は、飲料導出口６２２′を通じてノズル部７０に連通している。また、飲料導出通路６２１′は、飲料導入通路６１１′と連通している。かかる飲料導出通路６２１′は、飲料導出口６２２′に近接する下端部分６２１ａ′は、上端部分６２１ｂ′に比して小径となるように構成されている。
【０１１２】
上記構成のフォーミング部６０′においては、飲料導入通路６１１′を通過する牛乳飲料が該飲料導入通路６１１′の屈曲部位６１１ａ′にて流路変更され、該屈曲部位６１１ａ′における通路壁面に当接することで牛乳飲料の泡立ち量が増大されて泡立たされることになる。そして、このように泡立たされた牛乳飲料は、飲料導出通路６２１′を通過してノズル部７０に送出される。
【０１１３】
かかるフォーミング部６０′によれば、牛乳飲料の泡立ち量を増大させることができるとともに、飲料導出通路６２１′の下端部分６２１ａ′が上端部分６２１ｂ′よりも小径となっているのできめ細やかな泡を生成させることができる。
【符号の説明】
【０１１４】
１０  蒸気供給部（蒸気供給手段）
２０  原液供給部（原液供給手段）
２１  バッグ・イン・ボックス
２２  チューブ
２３  チューブポンプ
２４  プラグ
２７  ソケット
３０  逆止弁構成部
３０ａ  逆止弁本体
３１  ソケット収容部
３２  蒸気流入部
３３  原液流出部
３４  弁体収容部
３５  ボールガイド
３６  ボール弁
４０  空気供給部（空気供給手段）
５０  ミキシング部
６０  フォーミング部
７０  ノズル部
７０ａ  ノズル本体
７１１  ノズル室
７１２  吐出通路
７１３  放出通路
７１４  吐出連絡口
７１５  吐出口
７１６  放出連絡口
７１７  放出口
７２  飲料案内部
７２１  平板状部材
Ｃ  カップ（飲料容器）
【図１】
0006455591.tif 000002
【図２】
0006455591.tif 000003
【図３】
0006455591.tif 000004
【図４】
0006455591.tif 000005
【図５】
0006455591.tif 000006
【図６】
0006455591.tif 000007
【図７】
0006455591.tif 000008
【図８】
0006455591.tif 000009
【図９】
0006455591.tif 000010
【図１０】
0006455591.tif 000011
【図１１】
0006455591.tif 000012
【図１２】
0006455591.tif 000013
【図１３】
0006455591.tif 000014
【図１４】
0006455591.tif 000015
【図１５】
0006455591.tif 000016
【図１６】
0006455591.tif 000017
【図１７】
0006455591.tif 000018
【図１８】
0006455591.tif 000019
【図１９】
0006455591.tif 000020
【図２０】
0006455591.tif 000021
【図２１】
0006455591.tif 000022
【図２２】
0006455591.tif 000023
【図２３】
0006455591.tif 000024
【図２４】
0006455591.tif 000025
【図２５】
0006455591.tif 000026
【図２６】
0006455591.tif 000027